(57)【要約】【課題】撮影データの取り込みを行う前に、取り込みの必要があるファイルがどれだけあるかを確認できるようにする。【解決手段】非接触方式により電力を受電する受電手段と、長距離通信可能な無線通信方式でネットワークに接続する遠距離通信手段と、前記ネットワークに接続している情報機器を探索して接続する近距離通信手段と、装置全体の動作を制御する制御手段とを有し、前記制御手段は、装置が前記近距離通信手段により前記情報機器と接続して、前記受電手段により給電されているときは蓄積されている撮影データ自体を前記情報機器に転送し、給電されてないときには、撮影データを識別するためのメタデータを無線通信方式で転送するようにする。【選択図】図５
2012235357.tif 000002
【特許請求の範囲】
【請求項１】
非接触方式により電力を受電する受電手段と、
長距離通信可能な無線通信方式でネットワークに接続する遠距離通信手段と、
前記ネットワークに接続している情報機器を探索して接続する近距離通信手段と、
装置全体の動作を制御する制御手段とを有する撮像装置であって、
前記制御手段は、装置が前記近距離通信手段により前記情報機器と接続して、前記受電手段により給電されているときは蓄積されている撮影データ自体を前記情報機器に転送し、給電されていないときには、撮影データを識別するためのメタデータを無線通信方式で転送するよう制御することを特徴とする撮像装置。
【請求項２】
被写体を撮影し画像データを蓄積する撮像装置であって、
内蔵バッテリーの電源残量を検出可能なバッテリー残量検出手段と、
長距離通信可能な無線通信方式でネットワークに接続する遠距離通信手段と、
前記ネットワークに接続している情報機器を探索して接続する近距離通信手段と、
装置全体の動作を制御する制御手段とを有し、
前記制御手段は、前記遠距離通信手段により前記情報機器と接続時に前記バッテリー残量検出手段によりバッテリー残量を取得し、蓄積されている撮影データを転送するのに十分なバッテリー残量があるときは撮影データ自体の転送を行ない、バッテリー残量が不足しているときは、撮影データを識別するためのメタデータを転送するよう制御することを特徴とする撮像装置。
【請求項３】
前記制御手段は、前記遠距離通信手段により前記情報機器と接続時に、撮影データを識別するためのメタデータを無線通信方式で転送した場合に、前記情報機器から未取り込みコンテンツのリスト情報を取得し、前記取得したコンテンツのリスト情報に従ってコンテンツの送信準備を行うよう制御することを特徴とする請求項１または２に記載の撮像装置。
【請求項４】
前記制御手段は、前記近距離通信手段により前記情報機器と接続時に、送信準備を行なっていた撮影データを前記情報機器に送信するよう制御することを特徴とする請求項１〜３の何れか１項に記載の撮像装置。
【請求項５】
ネットワークを介して撮像装置と接続する撮影データ取り込み装置であって、
前記撮像装置からの探索パケットを受信して応答する遠距離通信手段と、
前記探索パケットを送信した撮像装置を探索して接続する近距離通信手段と、
装置全体の動作を制御する制御手段とを有し、
前記制御手段は、前記遠距離通信手段で前記撮像装置と接続した後に、前記近距離通信手段による撮影データ取り込みのための準備を行うよう制御することを特徴とする撮影データ取り込み装置。
【請求項６】
前記制御手段は、前記遠距離通信手段で前記撮像装置と接続時に、前記撮像装置から撮影データを識別するための情報を取得して取り込み済みでない撮影データを調べ、取り込み済みでない撮影データがあれば、未取り込みコンテンツのリスト情報を前記撮像装置へ送信するよう制御することを特徴とする請求項５に記載の撮影データ取り込み装置。
【請求項７】
前記制御手段は、ＬＡＮインタフェースによる撮像装置との接続後にハードディスク容量のチェックを行ない、コンテンツ取り込みのために必要なハードディスク領域を予約することを特徴とする請求項５または６に記載の撮影データ取り込み装置。
【請求項８】
電力消費量を抑制するための省電力モードを有し、
前記制御手段は、前記遠距離通信手段で撮像装置と接続時に、省電力モードを解除し、接続を切断した後に近距離通信手段による接続を待機するための所定の時間内は省電力モードに入らないように前記省電力モードを制御することを特徴とする請求項５〜７の何れか１項に記載の撮影データ取り込み装置。
【請求項９】
請求項１〜４の何れか１項に記載の撮像装置と、請求項５〜８の何れか１項に記載の撮影データ取り込み装置とを有することを特徴とする撮影データ取り込みシステム。
【請求項１０】
非接触方式により電力を受電する受電工程と、
長距離通信可能な無線通信方式でネットワークに接続する遠距離通信工程と、
前記ネットワークに接続している情報機器を探索して接続する近距離通信工程と、
装置全体の動作を制御する制御工程とを有する撮像装置の制御方法であって、
前記制御工程は、装置が前記近距離通信工程により前記情報機器と接続して、前記受電工程により給電されているときは蓄積されている撮影データ自体を前記情報機器に転送し、給電されてないときには、撮影データを識別するためのメタデータを無線通信方式で転送することを特徴とする撮像装置の制御方法。
【請求項１１】
被写体を撮影し画像データを蓄積する撮像装置の制御方法であって、
内蔵バッテリーの電源残量を検出可能なバッテリー残量検出工程と、
長距離通信可能な無線通信方式でネットワークに接続する遠距離通信工程と、
前記ネットワークに接続している情報機器を探索して接続する近距離通信工程と、
装置全体の動作を制御する制御工程とを有し、
前記制御工程は、前記近距離通信工程により前記情報機器と接続時に前記バッテリー残量検出工程によりバッテリー残量を取得し、蓄積されている撮影データを転送するのに十分なバッテリー残量があるときは撮影データ自体の転送を行ない、バッテリー残量が不足しているときは、撮影データを識別するためのメタデータを転送することを特徴とする撮像装置の制御方法。
【請求項１２】
ネットワークを介して撮像装置と接続する撮影データ取り込み装置の制御方法であって、
前記撮像装置からの探索パケットを受信して応答する遠距離通信工程と、
前記探索パケットを送信した撮像装置を探索して接続する近距離通信工程と、
装置全体の動作を制御する制御工程とを有し、
前記制御工程は、前記遠距離通信工程で前記撮像装置と接続した後に、前記近距離通信工程による撮影データ取り込みのための準備を行うことを特徴とする撮影データ取り込み装置の制御方法。
【請求項１３】
非接触方式により電力を受電する受電工程と、
長距離通信可能な無線通信方式でネットワークに接続する遠距離通信工程と、
前記ネットワークに接続している情報機器を探索して接続する近距離通信工程と、
装置全体の動作を制御する制御工程とをコンピュータに実行させるプログラムであって、
前記制御工程は、装置が前記近距離通信工程により前記情報機器と接続して、前記受電工程により給電されているときは蓄積されている撮影データ自体を前記情報機器に転送し、給電されてないときには、撮影データを識別するためのメタデータを無線通信方式で転送することをコンピュータに実行させることを特徴とするプログラム。
【請求項１４】
被写体を撮影し画像データを蓄積する撮像装置の制御方法の各工程をコンピュータに実行させるプログラムであって、
内蔵バッテリーの電源残量を検出可能なバッテリー残量検出工程と、
長距離通信可能な無線通信方式でネットワークに接続する遠距離通信工程と、
前記ネットワークに接続している情報機器を探索して接続する近距離通信工程と、
装置全体の動作を制御する制御工程とをコンピュータに実行させ、
前記制御工程は、前記近距離通信工程により前記情報機器と接続時に前記バッテリー残量検出工程によりバッテリー残量を取得し、蓄積されている撮影データを転送するのに十分なバッテリー残量があるときは撮影データ自体の転送を行ない、バッテリー残量が不足しているときは、撮影データを識別するためのメタデータを転送することをコンピュータに実行させることを特徴とするプログラム。
【請求項１５】
ネットワークを介して撮像装置と接続する撮影データ取り込み装置の制御方法の各工程をコンピュータに実行させるプログラムであって、
前記撮像装置からの探索パケットを受信して応答する遠距離通信工程と、
前記探索パケットを送信した撮像装置を探索して接続する近距離通信工程と、
装置全体の動作を制御する制御工程とを有し、
前記制御工程は、前記遠距離通信工程で前記撮像装置と接続した後に、前記近距離通信工程による撮影データ取り込みのための準備を行うことをコンピュータに実行させることを特徴とするプログラム。
【発明の詳細な説明】
【技術分野】
【０００１】
本発明は撮像装置、撮影データ取り込み装置および撮影データ取り込みシステムに関し、特に、撮影データの取り込みを行う前に、取り込みの必要があるファイルがどれだけあるかを確認するために用いて好適な技術に関する。
【背景技術】
【０００２】
近年、カメラ付き携帯電話の高機能化が進み、ネットワーク接続機能を持ち、コンパクトタイプのデジタルスチルカメラと同程度の画素数を有し、オートフォーカス機能を有するような機種が表れている。携帯電話をカメラ代わりに使うユーザも表れており、携帯電話とデジタルスチルカメラの垣根は低くなっている。このような携帯電話の進化に影響されて、デジタルスチルカメラに対するユーザやメーカの概念も変わりつつある。携帯電話が常に電源オンかつ通信可能であるように、カメラが無線通信機能を有し、常に通信可能な状態でいることが今後は普通となっていくと予想される。
【０００３】
デジタルスチルカメラ製品では無線ＬＡＮ(Local Area Network)機能を内蔵する製品や、専用アダプタを接続して無線通信可能とする製品がある。また、無線ＬＡＮ機能を有するメモリカード型の汎用アダプタも表れている。これは、デジタルカメラのメモリカードスロットに挿すことで、撮影するたびに作成された撮影ファイルをＰＣに転送することを可能とする。しかし無線ＬＡＮによる撮影データ伝送には、通信速度が有線と比較して一般に低速でありデータの転送に時間がかかるという問題がある。また、無線によるデータ転送は多くの電力を必要とするため、途中でカメラがバッテリー不足となり、伝送が途切れる恐れがあるという問題がある。無線通信機能を持つメモリカードの技術に関しては特許文献１に記載されている。
【０００４】
伝送速度に関しては、機器同士の通信距離を狭めることにより、機器と機器を近接させて高速に通信を行うことを可能とする技術が表れた。この技術では、数センチ程度の通信距離であれば、有線接続なみの高速な速度でデータを転送することができるため、高速大容量のデータ転送に効果的である。近距離無線通信に関しては特許文献２に記載されている。
【０００５】
一方、給電に関しても無線化の動きがあり、コード接続無しで給電を可能とする非接触給電の技術が開発され、数センチから数十センチ程度の距離を離れた状態で給電が可能となっている。この技術をカメラに用いれば、カメラを給電パッドの上に置くだけで給電を自動的に開始させることが可能となる。このような状態では、バッテリー不足を心配することなく、大多数・大容量の撮影データであっても転送することが可能となる。カメラバッテリーを常にフル充電に保っておくという観点から、家に帰ったらカメラを常に充電台に置いておくというような使い方が考えられる。非接触方式による給電技術に関しては特許文献３に記載されている。
【０００６】
ところで、カメラから撮影データの取り込みに関しては、重複取り込みや取り込み漏れをなくすことが求められる。例えば、一度取り込み済みであっても誤って削除されたファイルは再度取り込む必要がある。そこで、取得したファイルをデータベースによりライブラリとして管理することが行われる。カメラから撮影データの取り込み時には、既にライブラリ管理されているデータとカメラに蓄積されている撮影ファイルとを比較することが行われる。画像ファイルを取り込むときのデータ管理に関しては特許文献４、特許文献５に記載されている。
【先行技術文献】
【特許文献】
【０００７】
【特許文献１】特開２００２−３２９１８０号公報
【特許文献２】特開２０１０−０５０８４３号公報
【特許文献３】特開２００６−３１４１８１号公報
【特許文献４】特開２００７−１９４８６０号公報
【特許文献５】特開２００７−２３５７４１号公報
【発明の概要】
【発明が解決しようとする課題】
【０００８】
しかしながら、近距離高速通信による撮影データの伝送には、ケーブルの接続がいらないというメリットはあるが、ケーブル接続と同じくらい機器に近づかないと使用できない。そのため、ユーザはカメラ内部に取り込みを必要とするファイルがあるかないかを、接続機器のある場所まで移動してカメラを接触させないとわからないという問題があった。さらには、取り込みにかかる時間が事前にわからないため、取り込みが終わるまでに給電が必要か否かがわからないという問題があった。
本発明は前述の問題点に鑑み、撮影データの取り込みを行う前に、取り込みの必要があるファイルがどれだけあるかを確認できるようにすることを目的とする。
【課題を解決するための手段】
【０００９】
本発明の撮像装置は、非接触方式により電力を受電する受電手段と、長距離通信可能な無線通信方式でネットワークに接続する遠距離通信手段と、前記ネットワークに接続している情報機器を探索して接続する近距離通信手段と、装置全体の動作を制御する制御手段とを有する撮像装置であって、前記制御手段は、装置が前記近距離通信手段により前記情報機器と接続して、前記受電手段により給電されているときは蓄積されている撮影データ自体を前記情報機器に転送し、給電されていないときには、撮影データを識別するためのメタデータを無線通信方式で転送するよう制御することを特徴とする。
【発明の効果】
【００１０】
本発明によれば、ユーザはあらかじめデータの取り込みが必要か否かを知ることができるため、無駄に取り込み機器のある場所まで行く手間を必要としないという効果がある。
【図面の簡単な説明】
【００１１】
【図１】本発明の撮影データ取り込みシステムの概略を説明する図である。
【図２】第１の実施形態のデジタルスチルカメラの構成例を示すブロック図である。
【図３】第１の実施形態の撮影データ取り込み装置の構成例を示すブロック図である。
【図４】デジタルスチルカメラを取り込み装置に近づけた状態を説明する図である。
【図５】デジタルスチルカメラを無線ＬＡＮで取り込み装置に接続する処理を示すフローチャートである。
【図６】デジタルスチルカメラを近距離無線通信で取り込み装置に接続する処理を示すフローチャートである。
【図７】第２の実施形態のデジタルスチルカメラの構成例を示すブロック図である。
【図８】第２の実施形態の撮影データ取り込み装置の構成例を示すブロック図である。
【図９】第３の実施形態における撮影データ取り込み装置の処理を示すフローチャートである。
【図１０】第４の実施形態における撮影データ取り込み装置の処理を示すフローチャートである。
【発明を実施するための形態】
【００１２】
以下、添付の図面を参照して、本発明をその好適な実施形態に基づいて詳細に説明する。なお、以下の実施形態において示す構成は一例に過ぎず、本発明は図示された構成に限定されるものではない。
【００１３】
＜第１の実施形態＞
図１に、本発明の一実施形態のシステム構成を示す。１０１は無線ＬＡＮ機能と近距離通信機能を合わせ持つデジタルスチルカメラ、１０２は無線ＬＡＮのアクセスポイント、１０３はネットワークを構成するＨＵＢ(集線装置)、１０４は撮影データを取り込むための取り込み装置（撮影データ取り込み装置）である。本実施形態のデジタルスチルカメラ１０１と取り込み装置１０４は、非接触方式により、長距離通信可能な無線通信方式で遠距離通信を行うとともに、非接触で近距離通信を行う。
【００１４】
図２に、本実施形態のデジタルスチルカメラの構成例を説明するブロック図を示す。図２において、２０１は被写体の映像を撮影しデジタルデータに変換して画像データを生成する撮像部である。２０２は撮像部２０１から入力される映像データの圧縮または圧縮データの伸長を行なう映像圧縮／伸長部、２０３は映像およびメニュー画面を表示する表示部である。２０４は撮影映像を蓄積する蓄積部、２０５は無線アクセスポイント経由でネットワークに接続する無線ＬＡＮ通信部、２０６はカメラを取り込み装置１０４に接触させたときに通信を行う近距離通信部である。２０７は装置全体の動作を制御するシステム制御部、２０８はユーザ入力を受け付けるユーザ入力部である。
【００１５】
図３に、本実施形態のデジタルスチルカメラ１０１と接続して撮影データの取り込みを行う取り込み装置１０４のブロック構成図を示す。
図３において、３０１はカメラから取得する撮影映像データを蓄積する蓄積部、３０２は蓄積部３０２から入力される圧縮映像データの伸長を行なう映像伸長部、３０３は映像およびメニュー画面を表示する表示部である。３０４はネットワークに接続する有線ＬＡＮ通信部、３０５はカメラが接触されたときにカメラと通信を行う近距離無線通信部、３０６は全ての制御を行うシステム制御部、３０７はユーザ入力を受け付けるユーザ入力部である。図４に、デジタルスチルカメラ１０１を取り込み装置１０４に近づけた状態を示す。
【００１６】
次に、図５のフローチャートを参照しながら処理の流れを説明する。
ユーザがデジタルスチルカメラ１０１を持って帰宅すると、無線ＬＡＮ通信部２０５はデジタルスチルカメラ１０１がアクセスポイント１０２の通信可能圏内に入ったことを検知する。システム制御部２０７は、無線ＬＡＮ通信部２０５を制御してアクセスポイント１０２と接続し、デジタルスチルカメラ１０１を家庭内ネットワーク（ＬＡＮ）に接続する（Ｓ５０１）。
【００１７】
家庭内ネットワークへの接続が完了すると、ネットワーク上に接続可能な取り込み装置があるか否かを調べる探索パケットをブロードキャスト送信して接続可能な情報機器を探索する機器探索処理を実行する（Ｓ５０２）。次に、取り込み装置１０４からの返事を待つ（Ｓ５０３）。探索パケットの返答が無い場合は、所定の時間が経過したか否か調べる（Ｓ５０４）。経過していなければＳ５０２に戻る。経過していれば接続を切断して（Ｓ５０５）処理を終了する。
【００１８】
Ｓ５０３で取り込み装置１０４からの返答があると、取り込み装置１０４と接続して機器情報を交換する（Ｓ５０６）。撮影データを一意に識別するためのメタデータを取り込み装置１０４に無線通信方式で送信し（Ｓ５０７）、取り込み装置１０４からの返信を待つ（Ｓ５０８）。メタデータには、ここでは撮影日情報、撮影カメラ情報、ファイルサイズおよび映像データから計算するハッシュ値を用いるものとする。
【００１９】
取り込み装置１０４では、取得したメタデータを基に、同じ撮影データが存在するか否かを蓄積部３０１が保持しているデータベースに照会する。取り込み済みでない撮影データがあれば、その照会結果をデジタルスチルカメラ１０１に返信する。
【００２０】
デジタルスチルカメラ１０１は、取り込み装置１０４から転送が必要な撮影データの情報を取得する（Ｓ５０９）。取得した情報から取り込みが必要な撮影データがあるか否かを調べる（Ｓ５１０）。取り込みが必要な撮影データがなければ接続を切断し処理を終了する（Ｓ５０５）。必要な撮影データがあれば、取り込みが必要な撮影データのリストを作成して送信準備を行ない、表示部２０３に取り込みが必要な撮影データの枚数とサムネイル表示を行ない、ユーザに通知する。ユーザは表示部２０３を見て、取り込みが必要なファイルがあることを確認する（Ｓ５１１）。
【００２１】
次に、ユーザがデジタルスチルカメラ１０１を持って取り込み装置１０４に近づいて、デジタルスチルカメラ１０１を取り込み用のパッド上に置くときのカメラ側の処理を、図６のフローチャートを基に説明する。
【００２２】
近距離通信部２０６は、取り込み装置１０４の近距離通信部３０５からの電磁波を受信して、通信可能なことを検知する。システム制御部２０７は、通信部を無線ＬＡＮ通信部２０５から近距離通信部２０６に切り替える（Ｓ６０１）。送信準備中の撮影ファイルの内でこれから送信するファイルを識別するためのメタデータを取り込み装置１０４に送信する（Ｓ６０２）。次に、取り込み装置１０４へ送信準備中のファイルを送信する（Ｓ６０３）。次に、送信準備中のファイルがまだ残っているか判断する（Ｓ６０４）。送信準備中のファイルがまだ残っていればＳ６０２に戻り、撮影ファイルの送信を続ける。残っていなければ、接続を切断して処理を終了する（Ｓ６０５）。
【００２３】
＜第２の実施形態＞
第２の実施形態のデジタルスチルカメラ１０１のブロック構成を図７に示す。第１の実施形態のブロック図（図２）と比較して、内蔵バッテリーの電源残量を検出可能なバッテリー残量検出部２０９と電力受電部２１０が追加されている。第２の実施形態の取り込み装置１０４のブロック構成を図８に示す。第１の実施形態のブロック図（図３）と比較して、電力給電部３０８が追加されている。
【００２４】
第２の実施形態では、撮影ファイルの送信準備後に、デジタルスチルカメラ１０１は情報機器と接続時にバッテリー残量を調べる。そして、データ転送に必要なだけのバッテリー残量があれば、そのまま無線ＬＡＮでファイルの撮影データ自体を送信する。また、バッテリー残量が不足しているときは、撮影データを識別するためのメタデータを転送する。または、デジタルスチルカメラ１０１は取り込み装置１０４からの電力給電可能エリアに入るまで送信を保留する。
【００２５】
デジタルスチルカメラ１０１が取り込みパッドに置かれると、近距離通信部２０６、３０５により通信可能となると同時に、電力給電部３０８から電力を受電可能となる。電力が受電されると、近距離通信部２０６により取り込みが必要なリストにある撮影ファイルを取り込み装置１０４に送信する。
【００２６】
＜第３の実施形態＞
第３の実施形態では、取り込み装置１０４は、ＬＡＮインタフェースによるデジタルスチルカメラ１０１との接続後にハードディスク容量のチェックを行ない、コンテンツ取り込みのために必要なハードディスク領域を予約する。
【００２７】
図９に、第３の実施形態における、取り込み装置１０４の処理手順を説明するフローチャートを示す。
ＬＡＮインタフェースによりデジタルスチルカメラ１０１からの探索パケットを受信すると、応答を返す（Ｓ９０１）。次に、ＬＡＮインタフェースによるデジタルスチルカメラ１０１からの接続を受け付ける（Ｓ９０２）。次に、デジタルスチルカメラ１０１から撮影データを識別するためのメタデータリストを受信する（Ｓ９０３）。
【００２８】
次に、受信したメタデータを用いて撮像装置内の映像データベースを検索して、既に取り込み済みか否かを調べる（Ｓ９０４）。次に、未取り込みの撮影データの有無を判断する（Ｓ９０５）。全てデータベースに登録されており未取り込みの撮影データがなければ、全て取り込み済みをデジタルスチルカメラ１０１に通知する（Ｓ９０６）。その後、接続を切断して（Ｓ９０７）処理を終了する。一方、Ｓ９０５の判断の結果、未取り込みの撮影データがあれば、未取り込みのコンテンツのリスト情報としてデジタルスチルカメラ１０１に通知し（Ｓ９０８）、接続を切断する（Ｓ９０９）。
【００２９】
その後に、データ取り込みのための準備を行う。最初に取り込み装置１０４の蓄積部３０１を構成するハードディスク容量にコンテンツの取り込みに十分な空きがあるか否かを調べる（Ｓ９１０）。次に、容量が足りているか否か判断する（Ｓ９１１）。容量が足りていれば、取り込みに必要な容量だけハードディスクの領域を予約する（Ｓ９１２）。また、表示部３０３を構成するＬＣＤ表示領域に取り込み待ちを表示する（Ｓ９１３）。
【００３０】
一方、Ｓ９１１の判断の結果、容量が不足していれば、ハードディスクに対してデフラグを実施して空き容量の拡大を試みる（Ｓ９１４）。その後、改めて容量が足りているか否かを調べる（Ｓ９１５）。容量が足りていればＳ９１２の処理に進む。また、容量がまだ不足していれば、ＬＣＤ表示領域に容量不足のために取り込み不可能を表示する（Ｓ９１６）。
【００３１】
以上、説明したように、第３の実施形態によれば、ハードディスク領域を予約により確保しておくことにより、デジタルスチルカメラ１０１からの撮影データの取り込みをより確実に行うことが可能となる。
【００３２】
＜第４の実施形態＞
第４の実施形態では、取り込み装置１０４は電力消費量を抑制するための省電力モードを有し、省電力モード時はリモコンや本体スイッチの電源オン操作と、ネットワークからの接続操作のみを受け付ける。
図１０に、取り込み装置１０４の処理手順を説明するフローチャートを示す。図１０のＳ１００１からＳ１００９までは図９のＳ９０１からＳ９０９までの処理と同じなので説明を省略する。
【００３３】
Ｓ１００９で接続を切断した後に、近距離通信部３０５による接続を待つための所定の時間だけ、取り込み装置１０４は省電力モードへの移行を禁止（移行を解除）する（Ｓ１０１０）。これにより、次にデジタルスチルカメラ１０１を取り込み装置１０４の近距離通信部３０５に接触させたときに、省電力モードになっていないため、すみやかにコンテンツの取り込みを開始することができる。これにより、接続を切断した後に、接続を待機するための所定の時間内は省電力モードに入らないように省電力モードを制御することができる。
【００３４】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００３５】
２０１撮像部、２０２  映像圧縮／伸長部、２０３  表示部、２０４  蓄積部、２０５  無線ＬＡＮ通信部、２０６  近距離通信部、２０７  システム制御部、２０８  ユーザ入力部
【図１】
2012235357.tif 000003
【図２】
2012235357.tif 000004
【図３】
2012235357.tif 000005
【図４】
2012235357.tif 000006
【図５】
2012235357.tif 000007
【図６】
2012235357.tif 000008
【図７】
2012235357.tif 000009
【図８】
2012235357.tif 000010
【図９】
2012235357.tif 000011
【図１０】
2012235357.tif 000012